(57)【特許請求の範囲】
【請求項１】
被空調室の床を二重床に構成して、該二重床内から被空調室に空調空気を吹き出すようにし、該二重床内に設けた少なくとも一つの二重床内温度検出器により検出された温度と予め設定した二重床内の設定温度の差が少なくなるように、二重床内に送る空調空気の温度を温度調節装置により調節する工程と、被空調室内から空気を排出する排気通路内に設けた少なくとも一つの排気通路温度検出器により検出された温度と、前記二重床内温度検出器により検出された二重床内の検出温度との差を算出し、該検出温度差が一定の範囲内に収まるように、二重床内への温度調節された空調空気の送入量を送風機構により調整する工程とからなる床吹き出し空調方法。
【請求項２】
請求項１の床吹き出し空調方法において、二重床の床面に設けた旋回流発生装置により床面から空調空気を旋回させて被空調室内に吹き出すようにし、排気通路温度検出器により検出された温度と二重床内の温度検出器により検出された温度との差が、予め設定しておいた被空調室の最適の給排気温度差になるように、二重床内への空調空気の送入量を送風機構により調整することを特徴とする床吹き出し空調方法。
【請求項３】
被空調室の床を二重床に構成して、該二重床内から被空調室に空調空気を吹き出すようにし、該二重床内に少なくとも一つの二重床内温度検出器を設置し、該二重床内温度検出器により検出された温度と予め設定した二重床内の設定温度の差が少なくなるように、二重床内に送られる空調空気の温度を調節する温度調節装置を設け、更に、被空調室内の空気を排出する排気通路内に排気通路温度検出器を少なくとも一つ設置し、該排気通路温度検出器によって検出された温度と、前記二重床内温度検出器により検出された二重床内の検出温度との差を算出し、該検出温度差が一定の範囲内に収まるように、二重床内への温度調節された空調空気の送入量を調整して送風する送風機構を設けたことを特徴とする床吹き出し空調装置。
【請求項４】
請求項３の空調装置において、被空調室内に吹き出す空調空気を旋回させる旋回流発生装置を二重床の床面に設け、排気通路温度検出器により検出された温度と二重床内の温度検出器により検出された温度との差が、予め設定しておいた被空調室の最適の給排気温度差になるように、二重床内への空調空気の送入量を調整する送風機構を設けたことを特徴とする床吹き出し空調装置。
【発明の詳細な説明】
【０００１】
【発明の属する技術分野】
本発明は、オフィスビルなどに設けらている二重床構造を有する被空調室において、室内又は室外に設置した送風機構から加圧された空調空気を二重床内に送り、床面に設けた吹き出し口より該空調空気を被空調室内に吹き出すようにした床吹き出し空調方法及び床吹き出し空調装置に関する。
【０００２】
【従来の技術】
オフィスビルなどにおいては、被空調室に空調空気を上方から供給するのが一般的であるが、オフィスオートメーション機器（以下ＯＡ機器という）などの設置密度が増加する傾向にあり、このようなＯＡ機器が稼働したときに発生する熱や居住者から発生する熱による負荷が増大して、アンバランスな室温分布を生じさせる結果となっている。また、被空調室内を間仕切りを用いて小区画に仕切ることも多く行われており、これも被空調室内の気流の流れを阻害してアンバランスな室温分布を作り出している。このようなアンバランスな室温分布を作り出さないようにするために、被空調室の床を二重にして、そこにＯＡ機器の動力線や通信ケーブルを配線して、この二重床内のスペースを冷房用或いは暖房用の空調空気の通路に共用して、床面に形成された吹き出し口から空調空気を吹き出す空調方法と空調装置が実施されている。
【０００３】
このような空調方法としては、特開平５ー３１２３８１号公報に記載されたものが知られている。この空調方法は、図６に示すような空調装置を用いて実施されるが、その方法は、ＯＡ機器などの室内の物体Ａや居住者Ｂから放射される赤外線の放射エネルギー分布を赤外線検出器Ｃを用いて検出し、該放射エネルギー分布からニューロコンピューターなどを用いて室内の空気温度分布をファジー推論により推定し、該推定された空気温度分布と予め設定された空調温度とを比較して、該空気温度分布と設定された空調温度との間に大きな温度差のある箇所があれば、制御部Ｄによってその箇所の温度差を低減するように、吹き出し口Ｅから被空調室内に空調空気を強く吹き出して、室内空気の温度分布を均一化する方法である。
【０００４】
しかし、この空調方法では、前記大きな温度差を低減するために、被空調室内において、部分的に空調空気を強く吹き出すので、強く吹き出された部分に空気の過剰な流動が生じて、そのために居住者のドラフト感が増大して居住者に不快感を生じさせる不都合がある。更に、この空調方法は、赤外線検出器やニューロコンピューターなどを用いて被空調室内の空気温度分布をファジー推論により推定する複雑な方法であり、また、この方法を実施するには赤外線検出器やニューロコンピューターなどが必要となるので、簡単には実施ができない不都合がある。
【０００５】
更に、上記のような空調装置としては、従来、特開平５ー３０６８３４号公報に記載されたものが知られている。この空調装置は、図７に示すように、複数の温度センサーａ、ｂをそれぞれ被空調室ｃ内の居住ゾーンｄと非居住ゾーンｅに配置し、前記温度センサーａ、ｂで検出した温度から居住ゾーンｄと非居住ゾーンｅの境界線ｆ上の温度を算出して、該境界線ｆの温度が予め設定された温度になるように調節された量の空調空気ｈを被空調室ｃの床面に設けた吹き出し口ｇから被空調室ｃ内に吹き出すようにしたものである。
【０００６】
また、このような床吹き出し空調装置を用いて低温の空調空気を被空調室内に吹き出したときには、床面からの吹き出しにより被空調室内に層流状の吹き出し気流が形成され、ＯＡ機器や居住者の人体などから発生する熱による高温の空気が上昇気流となって上方に移動して、居住ゾーンｄは比較的低温となり、居住ゾーンｄよりも上に存在する非居住ゾーンｅは比較的高温となり、被空調室の温度分布は、全体として図８に示すような逆Ｓ字状になることが知られている。図８において、床面の温度が居住ゾーンｄの気温より高いのは、天井面からの輻射熱で加熱されるためであり、天井面の温度が天井面近傍の気温より低いのは、前記輻射熱を放出するためであると解される。
【０００７】
しかし、そのような空調装置では、境界線の温度を設定温度にするのには大量の空調空気が必要であり、吹き出された大量の空調空気に起因する被空調室内の過剰な空気流動が居住者に吹き付けられて、居住者のドラフト感が増大して、居住者に不快感を生じさせる不都合がある。また、この空調装置においては、被空調室内に温度検出器を設置しているので、一度被空調室内に温度検出器を取り付けて稼働した後に、間仕切りの位置を変えたり、ＯＡ機器を大幅に移動したりして、レイアウトを変更すると、被空調室内の空気の流れが変わり、温度検出器により検出された温度も以前とは変わってしまい、そのために、算出された被空調室の境界線の温度も変わってしまう。レイアウト変更の度に、温度検出器の位置を変えたり調整するのでは、面倒である。更に、この空調装置では、境界線ｆの温度を設定温度にするように調節するが、境界線ｆの温度を設定温度に均一にしたところで必ずしも居住ゾーンｄ全体が均一な設定温度になるわけではなく、また、ＯＡ機器や居住者の人体などの熱源からの熱による負荷変動が居住ゾーンｄ内で生じたときには、ＯＡ機器などが存在する居住ゾーンｄの下部よりも居住ゾーンｄの上部の方が、図８に示された逆Ｓ字カーブの温度分布に従って、大きく上昇し、上方にある非居住ゾーンｅも更に大きく温度上昇して、この居住ゾーンｄ上部と非居住ゾーンｅに設置された温度センサーａ、ｂによって検知された温度に基づいて算出された境界線ｆの温度は高めとなり、それを設定温度にしようとすると空調空気を多めに吹き出すので、そのために床面付近の温度が低くなり居住者の足が冷えて不快感を感じさせる不都合がある。
【０００８】
【発明が解決しようとする課題】
本発明は、被空調室を居住者にとって快適な空間にする床吹き出し空調方法及び床吹き出し空調装置を提供することを課題とする。
【０００９】
【課題を解決するための手段】
本発明は、上記の課題を解決するものであって、その手段は、請求項１に記載のとおり、被空調室の床を二重床に構成して、該二重床内から被空調室に空調空気を吹き出すようにし、該二重床内に設けた少なくとも一つの二重床内温度検出器により検出された温度と予め設定した二重床内の設定温度の差が少なくなるように、二重床内に送る空調空気の温度を温度調節装置により調節する工程と、被空調室内から空気を排出する排気通路内に設けた少なくとも一つの排気通路温度検出器により検出された温度と、前記二重床内温度検出器により検出された二重床内の検出温度との差を算出し、該検出温度差が一定の範囲内に収まるように、二重床内への温度調節された空調空気の送入量を送風機構により調整する工程とからなる床吹き出し空調方法である。
【００１０】
この空調方法においては、コンクリート床などの床下躯体の大きな熱容量の影響を受けないように、予め、二重床内の設定温度近くの温度を有する空気を二重床内に送ることによって、二重床内の空気を設定温度の近くに維持させると、二重床内の空気はほぼ一定の温度に保たれて被空調室内に吹き出され、被空調室の下半部の居住ゾーンの温度はほぼ一定になる。更に、居住ゾーンの熱負荷が変動して居住ゾーンの温度が変わっても、排気通路温度検出器により検出された温度と二重床内の検出温度との差を一定の範囲にとどめるように送風機構を調整するので、空調空気の吹き出し量は比較的少量ですみ、居住者のドラフト感が増大することがなくなり、居住者に不快感を感じさせることもない。
【００１１】
また、別の手段は、請求項２に記載のとおり、請求項１の床吹き出し空調方法において、二重床の床面に設けた旋回流発生装置により床面から空調空気を旋回させて被空調室内に吹き出すようにし、排気通路温度検出器により検出された温度と二重床内の温度検出器により検出された温度との差が、予め設定しておいた被空調室の最適の給排気温度差になるように、二重床内への空調空気の送入量を送風機構により調整することを特徴とする床吹き出し空調方法である。
【００１２】
この空調方法は、二重床の床面に旋回流発生装置を設けて、該旋回流発生装置により床面から空調空気を旋回させて被空調室内に吹き出すと、旋回した空調空気が周囲の空気を誘引しながら減衰していくので、その誘引作用の生じる区域である居住ゾーンの空気温度を均一にすると共に、被空調室内で温度の高くなった空気を上昇させて、それを被空調室外に排気する。
【００１３】
また、この空調方法は、予め被空調室の温度分布を測定して、給排気の最適な温度差を見つけて、被空調室を最適な逆Ｓ字カーブの温度分布にする。ＯＡ機器などの熱源から発生した熱のために居住ゾーン内に温度変化が生じたばあい、前記給排気の最適温度差を基準値とし、排気通路温度検出器により検出された温度と二重床内の温度検出器により検出された温度との差が、前記基準値になるような量の空調空気を、送風機構により送風して被空調室内に吹き出す。これによって、被空調室内は最適な逆Ｓ字カーブの温度分布が維持され、居住ゾーンの温度がほとんど均一に保たれる。
【００１４】
更に、他の手段は、請求項３に記載のとおり、被空調室の床を二重床に構成して、該二重床内から被空調室に空調空気を吹き出すようにし、該二重床内に少なくとも一つの二重床内温度検出器を設置し、該二重床内温度検出器により検出された温度と予め設定した二重床内の設定温度の差が少なくなるように、二重床内に送られる空調空気の温度を調節する温度調節装置を設け、更に、被空調室内の空気を排出する排気通路内に排気通路温度検出器を少なくとも一つ設置し、該排気通路温度検出器によって検出された温度と、前記二重床内温度検出器により検出された二重床内の検出温度との差を算出し、該検出温度差が一定の範囲内に収まるように、二重床内への温度調節された空調空気の送入量を調整して送風する送風機構を設けたことを特徴とする床吹き出し空調装置である。
【００１５】
この空調装置においては、コンクリート床などの床下躯体の大きな熱容量の影響を受けないように、予め、二重床内の設定温度近くの温度を有する空気を二重床内に送ることによって、二重床内の空気を設定温度の近くに維持させると、二重床内の空気はほぼ一定の温度に保たれて被空調室内に吹き出され、被空調室の下半部の居住ゾーンの温度はほぼ一定になる。更に、居住ゾーンの熱負荷が変動して居住ゾーンの温度が変わっても、排気通路温度検出器によって検出された温度と二重床内の検出温度との差を一定の範囲内にとどめるには、温度変化に対応できる比較的に小量の空調空気を被空調室に吹き出せばよいので、居住者のドラフト感を増大させず、居住者に不快感を生じさせない。
【００１６】
更に、他の手段は、請求項４に記載のとおり、請求項３の空調装置において、被空調室内に吹き出す空調空気を旋回させる旋回流発生装置を二重床の床面に設け、排気通路温度検出器により検出された温度と二重床内の温度検出器により検出された温度との差が、予め設定しておいた被空調室の最適の給排気温度差になるように、二重床内への空調空気の送入量を調整する送風機構を設けたことを特徴とする床吹き出し空調装置である。
【００１７】
この空調装置においては、温度調節装置により二重床内に送られる空調空気の温度を居住者の足が冷えない程度の温度にし、二重床の床面に設けた旋回流発生装置により該空調空気を旋回させて床面から被空調室内に吹き出すと、旋回した空調空気が周囲の空気を誘引しながら減衰していくので、その誘引作用の生じる区域である居住ゾーンの空気が居住者の足を冷やさない程度の温度で均一になると共に、被空調室内で温度の高くなった空気を上昇させて、それを被空調室外に排気する。
【００１８】
また、この空調装置を使用するにあたっては、予め被空調室の温度分布を測定して給排気の最適な温度差を見つけておいて、被空調室を最適な給排気温度差に対応する逆Ｓ字カーブの温度分布にする。
【００１９】
被空調室内がＯＡ機器などから発せられる熱により温度が変化しても、前記給排気の最適な温度差を基準値として、排気通路温度検出器により検出された温度と二重床内の温度検出器により検出された温度との差が、前記基準値になるような量の空調空気を、送風機構により送風して、被空調室内に吹き出す。給排気の温度差が基準値になるように空調空気の吹き出し量を調整するので、給排気温度差が基準値やその近くになり、被空調室内は最適な逆Ｓ字カーブの温度分布が維持され、居住ゾーンの温度が均一に保たれる。
【００２０】
【発明の実施の形態】
以下、図１乃至図３に基づいて、本発明の実施の形態を説明する。なお、本発明においては、二重床構造の被空調室１を、人が座って業務を行う程度の高さよりも少し高い程度以下の空間を居住ゾーン２として、また、該居住ゾーン２の上方空間を非居住ゾーン３として、両ゾーンを区別して、前記居住ゾーン２を対象に効率の良い空調を行う。
【００２１】
図１において、４は、本願発明の床吹き出し空調方法に使用される空調装置である。空調装置４は、被空調室１のコンクリート床５の上に間隔ａをあけて床パネル６を設けて二重床とし、該床パネル６に吹き出し口７を設け、前記二重床５、６内に少なくとも一つの二重床内温度検出器８を設置し、被空調室の排気口９から空気を排出する排気通路１０に、排気通路温度検出器１１を少なくとも一つ設置し、前記二重床内温度検出器８により検出された二重床内の温度と予め設定した二重床内の設定温度の差が少なくなるように、二重床５、６内に送られる空調空気の温度を調節する温度調節装置１２を設け、更に、前記二重床５、６内の検出温度と排気通路温度検出器１１によって検出された排気通路内の温度の差を、一定の温度差内、例えば、４℃程度内にとどめるように、前記吹き出し口７から吹き出す空調空気の量を調整して送風する送風機構１３を設けたものである。
【００２２】
二重床内温度検出器８と排気通路温度検出器１１が、それぞれ複数個設けられている場合には、各温度検出器によって検出された温度の平均値を取って、それぞれの代表値として用いる。また、複数個の二重床内温度検出器８を二重床５、６内に設置する場合には、二重床５、６内の設定温度と一番大きな差のある温度を二重床内の検出温度の代表値としてもよい。
【００２３】
二重床５、６内の設定温度は、居住者が快適に感じる範囲内で自由に変更することができる。
【００２４】
排気通路１０は、図１に示すように、被空調室１内の非居住ゾーン３の空気を、被空調室１の天井に設けた排気口９から外部に排気し、その排気の一部を給気通路１４に環流させている。
【００２５】
給気通路１４には、加熱コイルと冷却コイルで構成された温度調節コイル１２Ａと空調空気を前記二重床５、６内に送気するファン１３Ａを設ける。図示されている温度調節コイル１２Ａは、加熱コイルと冷却コイルを一緒にしたものであるが、加熱コイルと冷却コイルを別個のものに構成するようにしてもよい。更に、ヒートポンプを利用して、二重床５、６内で検出された温度が設定温度を超えた場合には冷却し、反対に検出温度が設定温度よりも低い場合には発熱するようにして、二重床内の温度を設定温度に近づけるように温度調節してもよい。
【００２６】
温度調節器１２は、バルブ１２Ｂの開度を調整して温度調節コイル１２Ａを調節するコントローラー１２Ｃとその制御システム１２Ｄとからなり、前記二重床５、６内に設けた温度検出器８と接続している。
【００２７】
送風機構１３は、前記温度検出器８と１１に接続した演算器１３Ｂで、該温度検出器８と１１によって検出された温度の差を演算し、その演算に応じてモーター１３Ｃによりファン１３Ａを回して、前記の温度差に応じた風量の空調空気を送風する。演算器１３Ｂは、図２に示すように、予め基準となる温度差を設定しておいて、該温度差基準値を越えた場合には、風量を増加させ、また、温度差基準値以下の場合には、風量を減少させる。図２においては、温度差に対して風量を直線的に増減させているが、被空調室内の温度変化の状況に応じて、例えば、図２の鎖線で示すように、温度差基準値以下の場合には風量を余り変化させないで温度差基準値を越えた場合には風量を増加させるような曲線的に風量を増減させてもよい。
【００２８】
このような空調装置を用いた床吹き出し空調方法を以下に説明する。
【００２９】
空調装置４の起動前には、被空調室１がほとんど外気の温度になっているので、効率よく空調装置４を運転するには、被空調室１を予冷するか又は予熱する必要がある。しかし、コンクリート床５などの床下躯体の熱容量が大きいので、空調空気を二重床内に送っても、暖房時には床下躯体が暖かい空調空気の温度を吸収したり、また、冷房時には床下躯体が冷たい空調空気を暖める。そのために、二重床５、６内の空気がなかなか設定温度近くにならない。そこで、空調機４の駆動時には、業務を始める前に、二重床５、６内の設定温度の近くの温度を有する空調空気を送風機構１３によって大量に二重床５、６内に供給して、予冷又は予熱をし、空調装置が起動したときに、速やかに二重床内を設定温度近くになるようにする。
【００３０】
次いで、二重床内温度検出器８により検出された温度と予め設定した二重床内の設定温度の差が少なくなるように、空調空気の温度を温度調節装置１２により調節する。そして、その温度調節された空調空気を二重床５、６内に送る。
【００３１】
また、排気通路温度検出器１１により検出された温度と、前記二重床５、６内の検出温度との差を一定の範囲内にとどめるように、温度調節された空調空気の量を、前記送風機構１３により調整して、該空調空気を前記吹き出し口７から被空調室１の居住ゾーン２に吹き出して、該居住ゾーン２の空調を行う。
【００３２】
前記の空調方法と空調装置を用いて空調した被空調室の室温変化の測定結果を図３に示す。図３から判るように、給気温度を略一定（２２℃程度）にして、排気通路温度検出器１１により検出された温度と前記二重床５、６内の検出温度との差を、４℃以内の範囲にとどめた場合に、被空調室内の単位熱負荷と単位風量をそれぞれ２６W/m2と１５m3・h/m2、４９W/m2と２５m3・h/m2、７６W/m2と３７m3・h/m2に変えたときの被空調室１の居住ゾーン２（この実施の形態の場合、床パネルからの高さ１４００mm以下の空間）における室温は、２４℃乃至２５℃の範囲内に保持された。このことから、前記の空調方法と空調装置を用いて空調すると、被空調室内の熱負荷が変動しても、最大でも３７m3・h/m2程度の風量の空調空気（従来の床吹き出し空調装置においては、吹き出し風量の最大値を約４０〜４５m3・h/m2に設定している）を吹き出して、居住ゾーン２内の室温を殆ど変化させずに、居住ゾーン２を居住者にとって快適な空間にすることができる。
【００３３】
本発明の別の実施の形態について以下に説明する。その別の実施の形態は、上記の被空調室１の床パネル６の吹き出し口７に、図４に示すような旋回流発生装置１４を取り付けたものである。この旋回流発生装置１４は、図４に示すように、床面を構成する床パネル６の吹き出し口７に、上下を開口したケーシング１５を適宣の固定手段を用いて固定し、該ケーシング１５の周壁１５Ａの上端に設けた環状フランジ部１５Ｂに、空調空気を流通させる透孔１６ａが多数形成された蓋体１６を着脱可能に取り付け、前記周壁１５Ａの下端に空気を流通する開口１７ａを設けた支持板１７を備え、外周面に雄ねじ２０ａを形成したロッド２０を蓋体１６の中央に開口した支持孔１６ｂから挿入し、雄ねじ２０ａの頭部２０ｂの下面を支持孔１６ｂの下面に設けた支持段部１６ｃに支持させ、前記雄ねじ２０ａを、床面から吹き出す空調空気に旋回を与える旋回流形成板１８に固定したナット２１に螺着し、ロッド２０の下端部を支持板１７の中央に開口した挿通孔２３に挿通し、更に、ロッド２０の先端に割ピン２０ｄを装着してロッド２０を軸方向には動かないようにすると共に周方向には回転自在にしたものである。
【００３４】
ケーシング１５の周壁１５Ａは、大径部１５ａ1と小径部１５ａ2を環状板部１５ａ3で連結したものである。２２は、ダストなどを取り除くためのフィルタである。
【００３５】
旋回流形成板１８は、図５に示すように、円形板の中央部に挿通孔１８ｂを開口し、該挿通孔１８ｂと同心上にナット２１を溶接などで固着したものである。旋回流形成板１８では、内側の円弧部１８ｃと外側の円弧部１８ｄと径方向の直線部１８ｅに切り込みを入れ、略扇形の羽根部１８ｆを上方に折り曲げて、空調空気を流通させる略扇形の透孔１８ｇを放射状に複数個形成する。ガイド孔１８ａ、１８ａには、支持板１７に立設したガイドピン１９、１９を挿通するので、旋回流形成板１８はガイドピン１９、１９により回動不能にされると共に、上下方向に案内される。
【００３６】
前記ロッド２０の頭部２０ｂの上面には、硬貨やマイナスドライバーの先端などが差し込めるように凹部２０ｃを形成し、該凹部２０ｃに硬貨などを挿入してロッド２０を回動すると、旋回流形成板１８は、ガイドピン１９、１９によって回動不能にされているので、ナット２１が上下動し、該ナット２１を固定した旋回流形成板１８も上下動して、空調空気の旋回の調整をする。図４に示すように、旋回流形成板１８を上方に移動させると、旋回流形成板１８の外周部下面と前記環状板部１５ａ3との間の空間Ｈが大きくなり、旋回流形成板１８の外周縁と前記大径部１５ａ1の内周壁との間の間隙２４を通過する空調空気Ａ1が上方に吹き出す。これと同時に、旋回流形成板１８の透孔１８ｇを通った空調空気Ａ2は上方に傾斜した羽根部１８ｆに衝突してその向きが変わり旋回流となって被空調室内に吹き出る。そして、垂直方向に吹き出した空調空気Ａ1の速度成分の大きさが旋回流となった空調空気Ａ2の水平方向の速度成分の大きさよりもかなり大きいので、この旋回流となった空調空気Ａ2は、コアンダ効果による床面へのへばりつきがなくなり、前記垂直方向に噴出する空調空気Ａ1と干渉して、旋回しながらほぼ垂直に被空調室１内に吹き出る。
【００３７】
この実施の形態の空調装置を用いて、床吹き出し空調をするにあたっては、まず、居住ゾーン２を快適にする、例えば、床上０．１mと１．７mの温度差が３℃以内になるような給排気の温度差を予め見つけておいて、被空調室１内の温度分布が最適な逆Ｓ字状カーブになるようにする。
【００３８】
二重床５、６内に送風機構１３から供給された空調空気は、温度調節装置１２により居住者の足が冷えない程度の温度（この実施の形態の場合には２２℃程度）にされて二重床５、６内に定温供給され、フィルタ２２を介して底板１７の空気流通開口１７ａからケーシング１５内に流入するが、更に、天井面からの輻射熱により若干温度上昇（２４乃至２５℃程度）して被空調室１内に吹き出すので、居住者の足が冷えるようなことにはない。旋回流発生装置１４により、旋回流となって被空調室１内に吹き出した空調空気は、周囲の空気を誘引しながら減衰していくので、誘引作用が生じている範囲においては空気の温度は均一になる。
【００３９】
居住ゾーン２内でＯＡ機器などの熱源から発せられた熱のために居住ゾーン２に温度変化が生じても、予め見つけておいた居住ゾーン２を快適にする給排気の温度差を基準値として、例えば、その基準値よりも温度差が大きくなったときには、空調空気の供給量を増やして基準値になるように、また、その基準値よりも温度差が小さくなったときには、空調空気の供給量を減らして基準値になるように、送風機構１３により被空調室１内に吹き出す空調空気の量を調整して二重床５、６内に送風し、該空調空気を旋回流にして被空調室内に吹き出す。
【００４０】
予め被空調室１の温度分布が最適な逆Ｓ字状カーブとなるような給排気の温度差を見つけておいて、それを基準値とし、該基準値になるような量の空調空気を被空調室１に吹き出すので、被空調室１の給排気の温度差は基準値又はその近くに維持され、居住ゾーン２の温度が居住者の足元を冷やさない程度の温度に均一に保たれて快適に維持される。
【００４１】
【発明の効果】
請求項１に記載の本発明は、温度調節装置により二重床内の設定温度近くに保持された空調空気により、二重床内は設定温度近くにほぼ一定に保たれ、更に、排気通路温度検出器により検出された温度と二重床内の検出温度との差を一定の範囲にとどめるように送風機構を調整するので、空調空気の吹き出し量は比較的小量ですみ、そのために、被空調室の居住ゾーン内の空気の流動が少なくなって、居住者のドラフト感が増大せず、被空調室を居住者にとって快適な空間にすることができる効果を有する。また、この発明は、吹き出す空調空気の量が少ないので、被空調室上部の熱気の吹き下ろしも少なくなり、天井に滞留した汚染物が居住ゾーンに吹き下ろされることも少なくなり、居住ゾーンの空気を悪化させることも少なくなる効果を有する。
【００４２】
請求項２に記載の本発明は、床面に設けた旋回流発生装置によって旋回された空調空気を被空調室に吹き出し、該旋回流が周囲の空気を誘引しながら減衰していくので、その誘引作用の生じる区域である居住ゾーンの空気の温度を均一にし、また、被空調室内でＯＡ機器などから発せられた熱のために温度変化が生じても、予め見つけておいた被空調室の最適な給排気温度差を基準値として、その基準値になるような量の空調空気を被空調室に吹き出すので、簡単な方法で被空調室内の居住ゾーンを快適にすることができる効果を有する。
【００４３】
請求項３に記載の本発明は、排気通路温度検出器によって検出された検出温度と二重床内の検出温度との差を一定の範囲内にとどめるには、温度変化に対応できる比較的に小量の空調空気を被空調室に吹き出せばよいので、被空調室の居住ゾーン内での気流の流れが緩やかになり、居住者が過剰な空気の流動による不快感を感じることがなくなり、被空調室を居住者にとって快適なものにする効果を有する。更に、この発明は、温度検出器が被空調室外に設置されているので、被空調室のレイアウトの変更があっても、温度検出器の位置の変えたり調整する必要がなく、レイアウト変更以前と同様の空調をすることができる効果を有する。
【００４４】
請求項４に記載の本発明は、温度調節装置により二重床内で居住者の足を冷やさない程度の温度にした空調空気を床面に設けた旋回流発生装置によって旋回を与えて被空調室内に吹き出させると、該旋回流が周囲の空気を誘引しながら減衰していき、誘引作用の生じる区域である居住ゾーンの空気が居住者の足を冷やさない程度の温度で均一になるので、また、被空調室内でＯＡ機器などから発せられた熱のために温度変化が生じても、予め見つけておいた居住ゾーンを快適にする給排気の温度差を基準値として、その基準値になるような量の空調空気を送風機構により送風して被空調室内に該空調空気を吹き出すので、居住ゾーンの温度を居住者の足元を冷やさない程度の温度に均一に維持して、居住ゾーンを快適にできる効果を有する。
【図面の簡単な説明】
【図１】  本発明の床吹き出し空調装置の略図。
【図２】  二重床内の温度と排気系の温度の温度の差と風量の関係を示すグラフ。
【図３】  被空調室内の熱負荷が変動した場合に、床パネルからの高さにおける室温を示す測定図。
【図４】  旋回流発生装置の要部断面図。
【図５】  旋回流形成板の平面図。
【図６】  従来の空調方法を説明するための説明図。
【図７】  従来の空調装置を説明するための説明図。
【図８】  床吹き出し空調装置を用いた場合の被空調室内の温度分布を示す略図。
【符号の説明】
１    被空調室      ４      空調装置
５      コンクリート床      ６    床パネル      ５、６  二重床
７      吹き出し口          ８    二重床内温度検出器
９      排気口            １０    排気通路
１１    排気通路温度検出器  １２    温度調節装置  １３    送風機構
１４  旋回流発生装置
【図１】
0003859844.tif 000002
【図２】
0003859844.tif 000003
【図３】
0003859844.tif 000004
【図４】
0003859844.tif 000005
【図５】
0003859844.tif 000006
【図６】
0003859844.tif 000007
【図７】
0003859844.tif 000008
【図８】
0003859844.tif 000009